(57)【要約】【課題】スポンジ等の吸水ローラや吸水シートを必要とせずに、簡単な構造によってメダルの脱水を可能とすることにより、メンテナンスの負担を軽減し、製作時の手間の軽減とコストダウンを実現するようにしたメダル脱水装置を提供する。【解決手段】水洗いしたメダルを流入する流入口１１ａとメダルを排出する排出口１１ｂとを備えた筒状のドラム１５の周壁に多数の水切り孔が設けられ、該ドラム１５の周囲には水抜き孔３０を有する外筒２９が設けられ、該ドラム１５が流入口１１ａから排出口１１ｂへと下り勾配を有して回転駆動される構造を有すると共に、ドラム１５の回転速度が制御されることにより、該ドラム１５内に収容されたメダルが遠心力の大小によって該ドラム１５の内周壁にへばり付くか離脱するかを繰り返して、該ドラム内に収容されたメダルが水切りと乾燥をしながら流入口１１ａから排出口１１ｂへ移送されるようにした。【選択図】図３
2007093022.tif 000002
【特許請求の範囲】
【請求項１】
遊技機で使用されたメダルを水洗いした後、該メダルに付着した水分を水切りして乾燥するようにしたメダル脱水装置において、水洗いしたメダルを流入する流入口とメダルを排出する排出口とを備えた筒状のドラムの周壁に多数の水切り孔が設けられ、該ドラムの周囲には水抜き孔を有する外筒が設けられ、該ドラムが前記流入口から前記排出口へと下り勾配を有して回転駆動される構造を有すると共に、前記ドラムの回転速度が制御されることにより、該ドラム内に収容されたメダルが遠心力の大小によって該ドラムの内周壁にへばり付くか離脱するかを繰り返して、該ドラム内に収容されたメダルが水切りと乾燥をしながら前記流入口から前記排出口へ移送されるようにしたことを特徴とするメダル脱水装置。
【発明の詳細な説明】
【技術分野】
【０００１】
本発明は、スロットマシン等の遊技機で使用されたメダルを再使用するために水洗いを行った後、メダルに付着した水分を水切りして乾燥するようにしたメダル脱水装置に関する。
【背景技術】
【０００２】
従来、スロットマシン等の遊技機で使用されたメダルを衛生的に再使用するため、遊技機の回収ラインから送られてきたメダルをメダル洗浄装置へ搬送し、このメダル洗浄装置で水洗いしたメダルの水分を水切りして乾燥するようにしたメダル脱水装置が使用されている。
【０００３】
このようなメダル脱水装置に関する技術として、特許文献１に記載された「メダル用水切り乾燥装置」は、モータによって回転駆動するドラム体を有し、該ドラム体の内部空間を吸水性の平面部を有する多角形に形成してなるものである。ところが、この装置においては、メダルをドラム体の軸方向へ送るために、ドラム体の平面部の内周に螺旋状の突起を設けた構成にしてあるため、作製に手間がかかり、製造コストが高くなるという問題があった。また、メダルに付着した水を吸水するために平面部に吸水シートを設けた構成にした場合、メダルの汚れが吸水シートにへばり付くため、頻繁に吸水シートを交換する必要が生じる。
【０００４】
さらに、メダル脱水装置に関する技術として、特許文献２に記載された「メダル洗浄装置」は、図４に示すように、圧接された一対の吸水ローラ５１〜５４を有する洗浄部と、一方の吸水ローラ５２、５４に圧接する水切りローラ５５、５６を有し、圧接された一対の吸水ローラ５１、５２間、吸水ローラ５３、５４間に濡れたメダルを挟み込みながら水分を吸水させて乾燥させるようにしたものである。このような構成において、各吸水ローラはスポンジゴムやフェルト繊維のような軟質多孔状の弾性部材を外周に被覆してなるものであり、洗浄工程にて落しきれなかった汚れが吸水ローラに付着して該吸水ローラの汚れの原因となり、また水分が付着したまま腐敗して悪臭の原因となるため、吸水ローラを頻繁に交換する必要が生じる。
【特許文献１】特開２００１−１１６４５６号公報
【特許文献２】特開２００２−１４３７９６号公報
【発明の開示】
【発明が解決しようとする課題】
【０００５】
本発明は、上記の問題点を解消するためになされたもので、スポンジ等の吸水ローラや吸水シートを必要とせずに、簡単な構造によって、メダルの水切りと乾燥を可能とすることにより、メンテナンスの負担を軽減し、製作の手間の軽減とコストダウンを図るようにしたメダル脱水装置を提供することを目的とする。
【課題を解決するための手段】
【０００６】
上記の問題を解決するために、本発明の請求項１のメダル脱水装置は、遊技機で使用されたメダルを水洗いした後、該メダルに付着した水分を水切りして乾燥するようにしたメダル脱水装置において、水洗いしたメダルを流入する流入口とメダルを排出する排出口とを備えた筒状のドラムの周壁に多数の水切り孔が設けられ、該ドラムの周囲には水抜き孔を有する外筒が設けられ、該ドラムが前記流入口から前記排出口へと下り勾配を有して回転駆動される構造を有すると共に、前記ドラムの回転速度が制御されることにより、該ドラム内に収容されたメダルが遠心力の大小によって該ドラムの内周壁にへばり付くか離脱するかを繰り返して、該ドラム内に収容されたメダルが水切りと乾燥をしながら前記流入口から前記排出口へ移送されるようにしたことを特徴とする。
【発明の効果】
【０００７】
本発明のメダル脱水装置は、水洗いしたメダルを流入する流入口とメダルを排出する排出口とを備えた筒状のドラムの周壁に多数の水切り孔が設けられると共に、該ドラムが流入口から排出口へと下り勾配を有して回転駆動され、このドラムの回転速度が制御されるようにした構造であることにより、ドラムの遠心力を利用して、ドラム内に収容されたメダルの水切りと乾燥をしながら流入口から排出口へと移送されるものである。
【０００８】
従って、本発明のメダル脱水装置は、従来の装置のようにスポンジ等の吸水ローラや吸水シートを必要としない構造によってメダルの水切りと乾燥とを行うことができ、またドラムに勾配が設けられた構造に併せて、ドラムの回転速度を制御することによって遠心力を調整することにより、ドラム内のメダルを移送することができるため、スポンジ等のような製品の交換が不要であり、メンテナンスの負担が軽減され、製作の手間の軽減とコストダウンを実現することが可能となる。
【発明を実施するための最良の形態】
【０００９】
以下、本発明の実施例について図面を参照しながら説明する。
【実施例１】
【００１０】
本発明によるメダル脱水装置は、遊技機で使用されたメダルを水洗いした後、メダルに付着した水分を該メダル脱水装置で水切りして乾燥するようにしたものである。図１において、不図示の遊技機で使用されたメダルは回収通路２を経てメダル自動補給装置３へ移送され、該メダル自動補給装置３に設けられた揚送リフト４によって洗浄前メダル貯留タンク５に貯留される。そして、このタンク５に貯留されたメダルは、連結管６を経てメダル洗浄装置７へと移送される。また、メダル洗浄装置７で水洗いされたメダルは、メダル乾燥装置８へ移送され、水切りして乾燥された後、揚送装置９によって上部の洗浄済メダル貯留タンク１０に貯留された後、不図示の補給装置へ送られることになる。
【００１１】
図１に示すメダル洗浄装置７はその上部に蓋部７ａを有するが、図２においては蓋部７ａを取った開放状態に図示されている。このメダル洗浄装置７はドラム式の水洗い装置であり、図２に示すように、メダル洗浄装置７の側部に給水口１２ｂと排水口１２ａとが設けられ、給水口１２ｂからメダル洗浄装置７内のドラム本体１３内に洗浄水が補給され、洗浄後の水が排水口１２ａから排出されることとなる。このメダル洗浄装置７のドラム本体１３は傾斜状に設けられ、上方に開口部７ｂを有し、この開口部７ｂが蓋部７ａ（図１参照）で閉塞される。また、メダル洗浄装置７がモータ２５で回転駆動されることによって、ドラム本体１３の内部に設けられた螺旋状の案内突起１３ａが回転する。
【００１２】
このメダル洗浄装置７のドラム本体１３内へメダルを投入して回転駆動すると、メダルは洗浄水で洗浄されながら螺旋状の案内突起１３ａの回転に従って上方へ移動し、メダル洗浄装置７の開口部７ｂの下部に管口を開けた連結管１４に移される。この連絡管１４は、下方へ湾曲しながらメダル脱水装置８へ至る。
【００１３】
メダル脱水装置８の要部構成としては、図３に示すように、水洗いしたメダルを流入する流入口１１ａとメダルを排出する排出口１１ｂとを備えた筒状のドラム１５の周壁に多数の水切り孔１６が設けられると共に、該ドラム１５が流入口１１ａから排出口１１ｂへと下り勾配を有して回転駆動される構造を有している。なお、ドラム１５の勾配角度は、約５度程度のものでよい。
【００１４】
このメダル脱水装置８について詳細に述べると、図２に示すように、メダル洗浄装置７とメダル脱水装置８と該メダル脱水装置８の下方に設けられた水受け容器３１とを配設した台板１７の側部に駆動部収納ボックス１８が設けられると共に、図３に示すように、該駆動部収納ボックス１８の表板１８ａがやや斜め上向きに傾斜した状態（角度α）に形成されている。
【００１５】
そして、図３に示すように、この駆動部収納ボックス１８の表板１８ａの面に対して垂直に設けられた駆動軸受け２０に前後のベアリング２１、２１を介して駆動軸２２が支承されているため、駆動軸２２は駆動部収納ボックス１８が設けられた方向へ下り勾配（角度α）を有する傾斜状態で回転駆動されることとなる。
【００１６】
この駆動軸２２の駆動源としては、駆動部収納ボックス１８の内部において、駆動軸２２の一端に固設されたプーリ２７に不図示のベルトを介してモータ２３（図２参照）の出力軸に連結され、モータ２３の駆動によって駆動軸２２を回転するようにしている。
【００１７】
さらに、図３に示すように、駆動軸２２には前後に離間して同径のブラケット２４、２４が固設され、これらのブラケット２４、２４を介して筒状のドラム１５の内周壁を固設してあるため、このドラム１５もまた流入口１１ａから排出口１１ｂへと下り勾配（角度α）を有する傾斜状態で回転駆動されることとなる。
【００１８】
ドラム１５は上記の通り筒状に形成され、駆動部収納ボックス１８側の排出口１１ｂとその反対の流入口１１ａとを開放した状態にすると共に、ドラム１５の内周壁にはメダルＭよりも小径に穿設された多数の水切り孔１６、１６…が設けられている。また、ドラム１５の排出口１１ａ側はドラム１５内のメダルを落下させる隙間２６を有すると共に、該隙間２６を包囲するように外筒受け部材１９が設けられ、この外筒受け部材１９にはドラム１５内で脱水された後のメダルＭを排出する落下口１９ａが設けられている。
【００１９】
外筒受け部材１９には、ドラム１５の周囲に隙間２８をあけた状態で外筒２９が固設されている。この外筒２９における排出口１１ａ側の下部には水抜き孔３０が設けられ、この水抜き孔３０の下方には、図２に示すように、上部に受水のための開口部３１ａを有する水受け容器３１が設けられている。
【００２０】
また、図３に示すように、上記のドラム１５と外筒２９との流入口１１ａ側には、上記のメダル洗浄装置７に設けられた連絡管１４の下流側開口端１４ａを臨ませた状態にして蓋板１５ａ、２９ａが固設されている。このような構成において、メダル洗浄装置７の連絡管１４から流下してくるメダルＭ１はドラム１５の流入口１１ａからドラム１５の内部に流入されることとなる。
【００２１】
また、ドラム１５の内部において、駆動軸２２の先端には円盤形状の規制板３２が設けられている。この規制板３２は連絡管１４の流下側端部１４ａとは多少の幅をあけてあり、規制板３２を例えば弾性を有するウレタン樹脂等によって形成することにより、メダル洗浄装置７の連絡管１４から流入してくるメダルＭが規制板３２に衝突したときの消音効果を兼ねて衝撃を緩和されながらドラム１５の内部に落下する。
【００２２】
上記の構成においては、図３に示すように、メダル洗浄装置７の連絡管１４を通過してメダル脱水装置８のドラム１５内に流入され、規制板３２に衝突することによって、メダルＭが一挙にドラム１５の排出口１１ｂに至ることなく、規制板３２の流入口１１ａ側におけるドラム１５内に落下して、その底部に落下することとなる。
【００２３】
このとき、ドラム１５がモータ２３の駆動によって回転すると、ドラム１５に遠心力が作用し、ドラム１５の底部に落下したメダルＭ（例えば図３のメダルＭ２）はドラム１５の内周壁にへばり付いた状態で回転するが、ドラム１５の内周壁の途中で落下すると、メダルＭ３は一点鎖線矢印のように垂直下方に落下する。このとき、ドラム１５が排出口１１ｂ側へ下り勾配を有するため、落下したメダルＭ４はドラム１５の排出口１１ｂ側へ移動した状態で底部に落下する。
【００２４】
そして、ドラム１５内のメダルＭは、上記のように、ドラム１５の内周壁にへばり付いた状態で回転したり落下したりする動作を繰り返すことによって、水切りされた水分を多数の水切り孔１６、１６…から排出しながら、メダルＭを排出口１１ｂ側へ移動させ、遂には落下口１９ａから下方へと排出することとなる。なお、多数の水切り孔１６、１６…から排出された水分は、外筒２９で受け止められて、外筒２９の傾斜に従って排出口１１ｂ側に流下し、水抜き孔３０から排出され、図1の水受け容器３１内に収容される。
【００２５】
このような装置においては、ドラム１５の回転と停止を交互に繰り返すことによって、上記のようにドラム１５に遠心力を発生させて、ドラム１５内のメダルＭの水切りと乾燥、及びメダルＭのドラム１５における移送を行うことができる。また、ドラム１５を完全に停止させなくとも、回転速度を制御することによって、ドラム１５内の内周壁にへばり付いたメダルＭが内周壁から離脱する程度の回転速度とすることにより、上記と同様にドラム１５内のメダルＭの水切りと乾燥、及びドラム１５内におけるメダルＭの移送を行うことができる。
【産業上の利用可能性】
【００２６】
本発明のメダル脱水装置は、遊技機で使用されたメダルを水洗いした後に脱水処理する装置であって、従来のようにスポンジ等の吸水ローラや吸水シートのような交換製品を必要とせず、しかも簡単な構造によって、メダルの水切りと乾燥を行いながらドラム内を移送させる構造とすることにより、製作の手間の軽減とコストダウンを図るようにしたメダル脱水装置として利用可能である。
【図面の簡単な説明】
【００２７】
【図１】本発明によるメダル脱水装置が設けられたメダル自動補給装置の斜視図である。
【図２】本発明によるメダル脱水装置の周辺装置の斜視図である。
【図３】本発明によるメダル脱水装置の内部構造を示す斜視図である。
【図４】特許文献２のメダル洗浄装置を示す構造図である。
【符号の説明】
【００２８】
２  回収通路
３  メダル自動補給装置
４  揚送リフト
５  洗浄前メダル貯留タンク
６  連結管
７  メダル洗浄装置
７ａ  蓋部
７ｂ  開口部
８  メダル乾燥装置
９  揚送装置
１０  洗浄済メダル貯留タンク
１１ａ  流入口
１１ｂ  排出口
１２ａ  排水口
１２ｂ  給水口
１３  ドラム本体
１３ａ  案内突起
１４  連絡管
１５  ドラム
１５ａ  蓋板
１６  水切り孔
１７  台板
１８  駆動部収納ボックス
１８ａ  表板
１９  外筒受け部材
１９ａ  落下口
２０  駆動軸受け
２１  ベアリング
２２  駆動軸
２３  モータ
２４  ブラケット
２５  モータ
２６  隙間
２７  プーリ
２８  隙間
２９  外筒
２９ａ  蓋板
３０  水抜き孔
３１  水受け容器
３１ａ  開口部
３２  規制板
【図１】
2007093022.tif 000003
【図２】
2007093022.tif 000004
【図３】
2007093022.tif 000005
【図４】
2007093022.tif 000006